(57)【要約】【課題】製造工程が容易な別体型を採用しつつも、装置全体の軽量化を図り、ひいては画質性能の向上に寄与することが可能なレンズ駆動装置を提供する。【解決手段】レンズを保持する鏡筒１４と、鏡筒１４が組み付けられるスリーブ（第一のスリーブ１３１，第二のスリーブ１３２及び第三のスリーブ２０）とを備える移動体と、コイル（第一のコイル１８１及び第二のコイル１８２）とマグネット１７を備え、移動体を光軸方向に駆動する磁気駆動機構と、を有するレンズ駆動装置１において、スリーブは、２以上のスリーブに分割され、これらが光軸方向に沿って積層状に配置されるとともに、コイルは、積層状に配置されたスリーブの間に配置される。【選択図】図６
2009047859.tif 000002
【特許請求の範囲】
【請求項１】
レンズを保持する鏡筒と、当該鏡筒が組み付けられるスリーブとを備える移動体と、
コイルとマグネットを備え、前記移動体を光軸方向に駆動する磁気駆動機構と、を有するレンズ駆動装置において、
前記スリーブは、２以上のスリーブに分割され、これらが光軸方向に沿って積層状に配置されるとともに、
前記コイルは、積層状に配置された前記スリーブの間に配置されることを特徴とするレンズ駆動装置。
【請求項２】
積層状に配置された前記スリーブの間には、前記コイルが巻回される巻取り部が設けられており、
前記巻取り部には、少なくとも一部に空隙が形成されていることを特徴とする請求項１記載のレンズ駆動装置。
【請求項３】
前記巻取り部は、隣接する前記スリーブを架橋する梁を有し、
前記梁には、前記鏡筒を位置決めする位置決め部が形成されていることを特徴とする請求項２記載のレンズ駆動装置。
【請求項４】
前記スリーブと前記コイルとは、光軸方向において接着されていることを特徴とする請求項１から３のいずれか記載のレンズ駆動装置。
【請求項５】
前記スリーブのうち前記コイルとの対向面には、径方向に沿って斜面が形成されていることを特徴とする請求項１から４のいずれか記載のレンズ駆動装置。
【請求項６】
径方向における前記コイルの外周面の面積は、径方向における前記コイルの内周面の面積よりも大きいことを特徴とする請求項５記載のレンズ駆動装置。
【請求項７】
前記スリーブのうち少なくとも一のスリーブには、当該一のスリーブが周方向に回転するのを規制する回転規制部が形成されていることを特徴とする請求項１から６のいずれか記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも僅かに被写体側に近づいた位置にする必要がある。そのため、この種の撮影レンズ系では、レンズを光軸方向に変位駆動する磁気駆動機構を備えており、スイッチの切り替えによってこの磁気駆動機構を駆動し、レンズを光軸方向に移動させることができるようになっている。
【０００４】
近年、携帯電話搭載カメラの高精細化（センサの高画素数化）に伴って、高画質の画像撮影を行うためにオートフォーカスの必要性が増している。そのため、上述したような磁気駆動機構（レンズアクチュエータ）への需要が高まってきている（例えば特許文献１参照）。
【０００５】
特許文献１に開示されたレンズ駆動装置では、複数枚のレンズ組が組み込まれた筐体（バレル）を、スリーブに組み付けることによって、レンズモジュールを完成させている（以下、「別体型」と呼ぶ）。この別体型によれば、磁気駆動機構を先に製造した後に、その磁気駆動機構にスリーブを組み付けることができるので、製造工程が簡易化され、コスト削減を図ることができる。
【０００６】
一方で、スリーブレスにして、バレルに、直接コイルを巻回する場合や、巻回したコイルを取り付けるレンズ駆動装置も存在する（以下、「一体型」と呼ぶ）。近年の高画質化に伴って、レンズの大口径化（重量増）が進む中で、レンズ駆動ストロークや姿勢差などの要求特性を満足するためには、可動部重量の削減が重要になってきている。そのため、上述した一体型を採用することによって、スリーブレスの分だけ軽量化でき、ひいては小型で高性能なレンズ駆動装置を製造することができる。
【０００７】
【特許文献１】国際公開第ＷＯ２００７／０２６８３０号（図１）
【発明の開示】
【発明が解決しようとする課題】
【０００８】
しかしながら、一体型だと、製造工程の複雑化が問題になる。例えば、光学レンズを搭載した形でアクチュエータの製造を行うためには、光学レンズに塵、埃等が付着しないように、製造工程全体を高い清浄環境に保つ必要がある。このような製造工程の複雑化は、コストアップの要因や製造品質管理の難しさに直結する。一方で、別体型にすれば、製造工程の問題は解消できるが、軽量化の問題が残っている。
【０００９】
本発明は、以上の点に鑑みてなされたものであり、その目的は、製造工程が容易な別体型を採用しつつも、可動部の軽量化を図り、ひいては画質性能の向上に寄与することが可能なレンズ駆動装置を提供することにある。
【課題を解決するための手段】
【００１０】
以上のような課題を解決するために、本発明は、以下のものを提供する。
【００１１】
（１）  レンズを保持する鏡筒と、当該鏡筒が組み付けられるスリーブとを備える移動体と、コイルとマグネットを備え、前記移動体を光軸方向に駆動する磁気駆動機構と、を有するレンズ駆動装置において、前記スリーブは、２以上のスリーブに分割され、これらが光軸方向に沿って積層状に配置されるとともに、前記コイルは、積層状に配置された前記スリーブの間に配置されることを特徴とするレンズ駆動装置。
【００１２】
本発明によれば、鏡筒とスリーブを備える移動体と、これを光軸方向に駆動する磁気駆動機構（コイルとマグネットを備える）と、を有するレンズ駆動装置で、２以上に分割されたスリーブが、光軸方向に沿って積層状に配置されるとともに、それらの間にコイルが配置されることとしたので、可動部の軽量化を図ることができる。
【００１３】
すなわち、従来のように、円筒形状のスリーブの外周面にコイルを巻回するのではなく、光軸方向に沿って分割された（例えばリング形状の）スリーブの間にコイルを配置することによって、スリーブの占有体積を小さくして、可動部の軽量化を図ることができる。その結果、画質性能の向上（高画質化）に寄与することができる。また、本発明は、上述した一体型ではなく、上述した別体体型のレンズ駆動装置に適用される。したがって、一体型を採用した場合に生じる製造工程の複雑化問題も解消することができる。このように、本発明は、製造工程の容易化と可動部の軽量化を共に実現することができる。
【００１４】
ここで、２以上に分割されたスリーブが「積層状に配置される」態様については、隣接するスリーブが接触していてもよいし、隣接するスリーブが接触していなくてもよい（すなわち、例えばコイルなど別部材が間に介在していてもよい）。また、２以上に分割された「スリーブ」は、完全に分離されている構成であってもよいし、例えば梁などによって、一部分で一体化連結された構成であってもよい。また、この一体化連結については、全てのスリーブを連結してもよいし、一部のスリーブを連結してもよい。さらに、スリーブ同士を固定する、或いは、スリーブと別部材（スリーブの間に介在する別部材）を固定するにあたっては、接着剤を用いるのが好ましいが、ネジを用いてもよいし、圧入を用いてもよいし、その固定態様の如何は問わない。なお、「スリーブ」自体は、形状・大きさ・光軸方向の幅の如何を問わない。
【００１５】
（２）  積層状に配置された前記スリーブの間には、前記コイルが巻回される巻取り部が設けられており、前記巻取り部には、少なくとも一部に空隙が形成されていることを特徴とする（１）記載のレンズ駆動装置。
【００１６】
本発明によれば、スリーブの間には、コイルが巻回される巻取り部が設けられており、この巻取り部には、少なくとも一部に空隙が形成されていることとしたので、空隙の大きさによって軽量化の程度を調整することができ、ひいては製造工程の容易化を確保しつつ、最適な重量にまで軽量化することができる。
【００１７】
なお、「巻取り部」については、スリーブとは別部材で別途設けることとしてもよいし、スリーブの一部を延ばすなどして、スリーブの一部分として形成されることとしてもよい。
【００１８】
（３）  前記巻取り部は、隣接する前記スリーブを架橋する梁を有し、前記梁には、前記鏡筒を位置決めする位置決め部が形成されていることを特徴とする（２）記載のレンズ駆動装置。
【００１９】
本発明によれば、上述した巻取り部は、隣接するスリーブを架橋する梁を有し、この梁には、鏡筒を位置決めする位置決め部が形成されていることとしたので、光軸方向において、鏡筒をより確実に位置決めすることができる。
【００２０】
（４）  前記スリーブと前記コイルとは、光軸方向において接着されていることを特徴とする（１）から（３）のいずれか記載のレンズ駆動装置。
【００２１】
本発明によれば、上述したスリーブとコイルは、光軸方向において接着されていることとしたので、ネジや圧入を用いることなく、スリーブとコイルとを固定化することができ、ひいては製造工程の更なる容易化に資することができる。
【００２２】
（５）  前記スリーブのうち前記コイルとの対向面には、径方向に沿って斜面が形成されていることを特徴とする（１）から（４）のいずれか記載のレンズ駆動装置。
【００２３】
本発明によれば、上述したスリーブのうちコイルとの対向面には、径方向に沿って斜面が形成されていることとしたので、コイルを径方向にずれ難くすることができ、安定した位置決めを行うことができる。
【００２４】
（６）  径方向における前記コイルの外周面の面積は、径方向における前記コイルの内周面の面積よりも大きいことを特徴とする（５）記載のレンズ駆動装置。
【００２５】
本発明によれば、径方向におけるコイルの外周面の面積は、径方向におけるコイルの内周面の面積よりも大きいこととしたので、上述したように、コイルを径方向にずれ難くすることができるとともに、例えば筒状の冶具を用いてコイルを巻回するときには、巻き易くすることができる。さらには、コイルの外周面の面積を大きくすることで、マグネットと対向する面積が大きくなるので、レンズ駆動装置の推力向上にも資することができる。
【００２６】
（７）  前記スリーブのうち少なくとも一のスリーブには、当該一のスリーブが周方向に回転するのを規制する回転規制部が形成されていることを特徴とする（１）から（６）のいずれか記載のレンズ駆動装置。
【００２７】
本発明によれば、上述したスリーブのうち少なくとも一のスリーブには、この一のスリーブが周方向に回転するのを規制する回転規制部が形成されていることとしたので、スリーブ自体が周方向に回転してしまうのを防ぐことができる。
【発明の効果】
【００２８】
本発明に係るレンズ駆動装置によれば、製造工程の容易な別体型のレンズ駆動装置を採用しつつも、スリーブに代表される可動部の重量削減を図ることができ、ひいては画質性能の向上に寄与することができる。
【発明を実施するための最良の形態】
【００２９】
以下、本発明を実施するための最良の形態について、図面を参照しながら説明する。
【００３０】
［機械構成］
図１は、本発明の実施の形態に係るレンズ駆動装置１の外観構成を示す斜視図である。図２は、レンズ駆動装置１における磁気駆動機構の概要を示す図である。図３は、レンズ駆動装置１の側断面を示す断面斜視図である。
【００３１】
図１〜図３において、レンズ駆動装置１は、バックヨーク１１と、カバー１２と、第一のスリーブ１３１及び第二のスリーブ１３２と、レンズを保持する鏡筒１４と、第一の板バネ１５と、ワイヤースプリング１６と、マグネット１７と、コイル組１８（第一のコイル１８１及び第二のコイル１８２）と、台座１９と、第三のスリーブ２０、第二の板バネ２１と、を有している。そして、レンズ駆動装置１は、移動体（鏡筒１４など）を、光軸方向Ｌに沿って被写体（撮像対象）に近づくＡ方向（前側）、被写体とは反対側（像側）に近づくＢ方向（後側）の双方向に移動させるものである（図１参照）。また、第一のスリーブ１３１、第二のスリーブ１３２と、第三のスリーブ２０とによって、スリーブ組を構成している。さらに、このスリーブ組の内側には、鏡筒１４が取り付けられている。
【００３２】
なお、一又は複数枚のレンズを備え、鏡筒１４の内部に取り付けられるレンズ組は、説明の便宜上、図示を省略している。また、鏡筒１４，鏡筒１４が組みつけられるスリーブ組（第一のスリーブ１３１及び第二のスリーブ１３２，及び第三のスリーブ２０）は、レンズを備えた「移動体」の一例として機能する。
【００３３】
バックヨーク１１は、例えば鋼板などの強磁性板から構成され、角筒状を呈している。また、バックヨーク１１は、レンズ駆動装置１の側面で露出し、その側面部を構成している。カバー１２は、第一の板バネ１５の被写体側を覆うものであって、その中央には、被写体からの反射光をレンズに取り込むための円形の入射窓が形成されている。台座１９は、像側で撮像素子（図示せず）を保持するものである。
【００３４】
第一のコイル１８１及び第二のコイル１８２は、円環状となっている。第一のコイル１８１は、第一のスリーブ１３１と第二のスリーブ１３２との間に挟持され、同様に、第二のコイル１８２は第二のスリーブ１３２と第三のスリーブ１３３との間に挟持されている。本実施の形態では、前側に配置されたマグネット１７は、第一のコイル１８１に対して外周側で対向し、内面がＳ極に着磁され、外面がＮ極に着磁されている。さらに、後側に配置されたマグネット１７は、第二のコイル１８２に対して外周側で対向し、内面がＮ極に着磁され、外面がＳ極に着磁され、ている。これらのマグネット１７は、第一のコイル１８１、および第二のコイル１８２に対してバックヨーク１１の内周面のうち４箇所の角部分に固定される。
【００３５】
なお、バックヨーク１１と、マグネット１７と、第一のコイル１８１及び第二のコイル１８２は、鏡筒１４などの移動体を光軸方向Ｌに駆動する「磁気駆動機構」の一例として機能する。
【００３６】
第一の板バネ１５及び第二の板バネ２１は、双方とも金属製の薄板から形成されており、光軸方向Ｌにおける厚さを同じにしている。これにより、生産性を高めることができるようになっている。
【００３７】
バックヨーク１１は、第一のコイル１８１及び第二のコイル１８２が配置されている領域の光軸方向Ｌの寸法、および、マグネット１７の光軸方向Ｌの寸法よりも大きくなっているため、マグネット１７と第一のコイル１８１との間に構成される磁路、及び、マグネット１７と第二のコイル１８２との間に構成される磁路からの漏れ磁束を少なくすることができる。その結果、鏡筒１４の移動量と、第一のコイル１８１及び第二のコイル１８２に流す電流との間のリニアリティを向上させることができる。
【００３８】
レンズ駆動装置１は、円環状のワイヤースプリング（磁性部材）１６を備えている。ワイヤースプリング１６は、マグネット１７との間に作用する磁気吸引力により、移動体（鏡筒１４等）に対して光軸方向Ｌの付勢力を印加する。このため、移動体（鏡筒１４等）が無通電時に自重で変位することを防止することができ、ひいては移動体（鏡筒１４等）に所望の姿勢を維持させることができる。なお、ワイヤースプリング１６は、第一のスリーブ１３１のうち被写体側（前側）の端面に配置されるとともに、第一のスリーブ１３１と第一の板バネ１５との間に介在するように配置される。
【００３９】
カバー１２は、磁性材からなる板材であり、その外形はほぼ四角形となっている。また、カバー１２の外側端は、バックヨーク１１に接しながら固定されている。中央に入射窓が形成された板部１２１を有しており、その板部１２１の四隅内側には、撮像素子側（後側）に延びる爪部１２１ａが形成されている（図１参照）。爪部１２１ａは、第一の板バネ１５の４箇所のアーム部１５ａに対応するように形成されており、板部１２１からほぼ直角に折れ曲がっている（角部分はＲ面）。そして、本実施形態では、爪部１２１ａを含めて、カバー１２は磁性材料（例えば鉄など）からできている。したがって、爪部１２１ａは、磁気駆動機構と磁路を形成する。
【００４０】
ここで、本実施形態に係るレンズ駆動装置１では、上述したように、スリーブ組（またはスリーブ）が、第一のスリーブ１３１，第二のスリーブ１３２及び第三のスリーブ２０に分割されており、これらが光軸方向Ｌに沿って積層状に配置されている（図３参照）。また、第一のコイル１８１と第二のコイル１８２は、積層状に配置されたスリーブの間に配置されている。以下、これらの配置関係について、図４〜図７を用いて詳述する。
【００４１】
［スリーブとコイルの配置］
図４は、第一のスリーブ１３１，第二のスリーブ１３２及び第三のスリーブ２０並びにコイル組１８の配置関係を示す外観図である。図５は、第一のスリーブ１３１，第二のスリーブ１３２及び第三のスリーブ２０並びにコイル組１８の断面図である。なお、図５は、図４において、Ａ−Ａ'面で切断したときの断面図である。
【００４２】
図４及び図５に示すように、第一のスリーブ１３１，第二のスリーブ１３２及び第三のスリーブ２０は、光軸方向Ｌに沿って積層状に配置されており、第一のスリーブ１３１と第二のスリーブ１３２の間に、第一のコイル１８１が配置され、第二のスリーブ１３２と第三のスリーブ２０の間に、第二のコイル１８２が配置されている。
【００４３】
第一のスリーブ１３１，第二のスリーブ１３２又は第三のスリーブ２０と、第一のコイル１８１又は第二のコイル１８２とは、光軸方向Ｌにおいて接着剤等により接着されている。また、第三のスリーブ２０には、これが周方向に回転するのを規制する回転規制部２０ａが形成されている。なお、本実施形態では、第三のスリーブ２０のみに形成しているが、第一のスリーブ１３１や第二のスリーブ１３２にも形成しても構わない。
【００４４】
さらに、図５に示すように、第一のスリーブ１３１，第二のスリーブ１３２及び第三のスリーブ２０のうちコイルとの対向面には、径方向に沿って斜面が形成されている。具体的には、第一のスリーブ１３１のうち第一のコイル１８１に対向する面には、斜面１３１ａが形成されており、第二のスリーブ１３２のうち第一のコイル１８１に対向する面には、斜面１３２ａが形成されており、第二のスリーブ１３２のうち第二のコイル１８２に対向する面には、斜面１３２ｂが形成されており、第三のスリーブ２０のうち第二のコイル１８２に対向する面には、斜面２０ｂが形成されている。
【００４５】
特に、斜面１３１ａ，１３２ａ，１３２ｂ及び２０ｂが形成されることによって、径方向における第一のコイル１８１及び第二のコイル１８２の外周面の面積は、それぞれ径方向における第一のコイル１８１及び第二のコイル１８２の内周面の面積よりも大きくなっている。すなわち、第一のコイル１８１と第二のコイル１８２は、ともに断面形状が台形状となっている。これにより、マグネット１７との対向面積を大きくすることができ、レンズ駆動装置１の推力を向上させることができる。
【００４６】
図６及び図７は、第一のスリーブ１３１，第二のスリーブ１３２及び第三のスリーブ２０に着目したときの外観図である。なお、図７は、図６に示す第一のスリーブ１３１，第二のスリーブ１３２及び第三のスリーブ２０を下から見たときの外観図である。
【００４７】
図６及び図７において、積層状に配置されたスリーブのうち、第一のスリーブ１３１と第二のスリーブ１３２の間には、第一のコイル１８１が巻回される巻取り部２００が設けられている。より具体的には、巻取り部２００には、空隙２０１と、第一のスリーブ１３１と第二のスリーブ１３２を架橋する４箇所の梁２０２と、から構成されている。なお、本実施形態では、巻取り部２００において、梁２０２の方が空隙２０１よりも面積が大きいが、逆であってもよい。また、梁２０２には、鏡筒１４を位置決めする位置決め部２０３が形成されており、これによって鏡筒１４を固定して位置決めすることができる。
【００４８】
ここで、積層状に配置されたスリーブの間にコイルを巻回する方法について説明する。まず、円筒状の冶具を用意し、この冶具に、リング状の第一のスリーブ１３１，第二のスリーブ１３２及び第三のスリーブ２０を所定の離間距離をもって配設固定する。このとき、４箇所の梁２０２の存在を考慮して、冶具には４箇所の切り込み（溝）を形成しておく。
【００４９】
次に、第一のスリーブ１３１と第二のスリーブ１３２の間と、第二のスリーブ１３２と第三のスリーブ２０の間と、の２箇所にコイルを巻く。より具体的には、第一のスリーブ１３１と第二のスリーブ１３２の端面と、これらのスリーブ間で露出した冶具面と、からなる３面をコイルボビンとして、巻線機で第一のコイル１８１を巻く。また、第二のスリーブ１３２と第三のスリーブ２０の端面と、これらのスリーブ間で露出した冶具面と、からなる３面をコイルボビンとして、巻線機で第二のコイル１８２を巻く。この際、上述したように、スリーブ端面が任意の角度をもって形成されているので（すなわち、斜面１３１ａ，１３２ａ，１３２ｂ及び２０ｂが形成されているので）、巻回されたコイルの断面形状は、台形状となる。
【００５０】
その後、接着剤等の固定手段によって、スリーブとコイルを一体化してから冶具を抜き取る。スリーブとコイルは、台形形状で互いに噛み合った形になるので、容易にずれるのを防ぐことができる。
【００５１】
あとは、円筒状スリーブにコイルが巻回されていた従来のスリーブ／コイルと同様の部組みとして扱って、ＬＡ（レンズアクチュエータ）の製造工程を進行させる。そして、アクチュエータとして完成させた後、レンズが搭載された鏡筒１４（バレル）を組み付ける。したがって、スリーブとコイルとは、鏡筒１４を組み付けるまでは崩れない程度の強度で固定されていればよい。最終的に、鏡筒１４を組み付けた後、三次元接着などで強く固定すれば、十分な強度を確保することができる。
【００５２】
［基本動作］
本実施形態に係るレンズ駆動装置１において、移動体は、通常（第一のコイル１８１及び第二のコイル１８２の無通電時）は、撮像素子側（像側）に位置する。なお、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００５３】
このような状態において、第一のコイル１８１及び第二のコイル１８２に所定方向の電流を流すと、第一のコイル１８１及び第二のコイル１８２は、それぞれ上向き（前側）の電磁力を受けることになる。これにより、第一のコイル１８１及び第二のコイル１８２並びにスリーブ（第一のスリーブ１３１，第二のスリーブ１３２及び第三のスリーブ２０）が固着された鏡筒１４は、被写体側（前側）に移動し始める。このとき、第一の板バネ１５と鏡筒１４の後端との間、及び第二の板バネ２１と鏡筒１４の前端との間には、それぞれ鏡筒１４の移動を規制する弾性力が発生する。このため、鏡筒１４を前側に移動させようとする電磁力と、鏡筒１４の移動を規制する弾性力が釣り合ったとき、鏡筒１４は停止する。また、第一のコイル１８１及び第二のコイル１８２に逆方向の電流を流すと、第一のコイル１８１及び第二のコイル１８２は、それぞれ下向き（後側）の電磁力を受けることになる。
【００５４】
その際、第一のコイル１８１及び第二のコイル１８２に流す電流量と、第一の板バネ１５及び第二の板バネ２１によって鏡筒１４に働く弾性力を調整することで、鏡筒１４（移動体）を所望の位置に停止させることができる。なお、移動体に保持させたワイヤースプリング１６とマグネット１７との付勢力も利用することで、移動体に光軸方向Ｌの推進力を発生させる磁気駆動機構の小型化を図ることができる。また、電磁力と弾性力との釣り合いを利用して鏡筒１４を停止させることで、衝突音の発生を防ぐことができる。さらに、カバー１２及び爪部１２１ａが磁性体であるので、磁気駆動機構と磁路を形成する結果、移動体の光軸方向Ｌに駆動する際の推力を向上させることができる。
【００５５】
［実施形態の効果］
本実施形態に係るレンズ駆動装置１によれば、装置全体の軽量化を図って、高性能ＬＡを提供することができる。すなわち、ＬＡ特性向上のためには、可動部重量の軽量化が重要な要素となるところ、別体型ＬＡは、一体型ＬＡに比べてスリーブが重く、重量面で不利である。しかし、上述したレンズ駆動装置１によれば、スリーブが３個に分割され、重量を大幅に削減することができるので、製造工程の観点で有利という別体型の特徴を活かしつつ、高性能ＬＡ（例えば画質性能の向上）を提供することができる。
【００５６】
また、レンズ駆動装置１では、第一のスリーブ１３１と第二のスリーブ１３２の間に巻取り部２００が設けられ、この巻取り部２００は、空隙２０１と梁２０２から構成されるので、空隙の大きさを調整することで、スリーブを所望の重量に調整することができる。
【００５７】
また、梁２０２には、鏡筒１４を位置決めする位置決め部２０３が形成されているので、鏡筒１４を光軸方向Ｌにおいてより確実に位置決めすることができる。
【００５８】
また、第一のスリーブ１３１，第二のスリーブ１３２及び第三のスリーブ２０と、コイル組１８とは、光軸方向Ｌにおいて接着されていることとしたので、ネジや圧入を用いることなくスリーブ／コイル組を製造することができる。
【００５９】
また、第一のスリーブ１３１，第二のスリーブ１３２及び第三のスリーブ２０のうちコイル（第一のコイル１８１又は第二のコイル１８２）との対向面には、径方向に沿って斜面１３１ａ，１３２ａ，１３２ｂ及び２０ｂが形成されていることとしたので、第一のコイル１８１又は第二のコイル１８２を径方向にずれ難くすることができる。
【００６０】
さらに、斜面１３１ａ，１３２ａ，１３２ｂ及び２０ｂにより、径方向におけるコイルの外周面の面積は、径方向におけるコイルの内周面の面積よりも大きくなっていることから、マグネット１７との対向面積が大きくなり、レンズ駆動装置１の推力向上にも資することができる。
【００６１】
なお、第三のスリーブ２０には、これが周方向に回転するのを規制する回転規制部２０ａが形成されているので、スリーブ組を介して移動体が周方向に回転してしまうのを防ぐことができる。
【００６２】
［変形例］
図８は、第一のスリーブ１３１，第二のスリーブ１３２及び第三のスリーブ２０の変形例を示す図である。
【００６３】
図８では、第一のスリーブ１３１，第二のスリーブ１３２及び第三のスリーブ２０は、完全分離された３本のリングとなっている。このような構成とすることで、スリーブ重量を更に減量化することができる。
【００６４】
図９は、第一のスリーブ１３１，第二のスリーブ１３２及び第三のスリーブ２０の他の変形例を示す図である。
【００６５】
図９では、第一のスリーブ１３１，第二のスリーブ１３２及び第三のスリーブ２０を梁２０２によって一体化連結している。このような構成とすることで、部品点数の削減に寄与することができる。すなわち、各スリーブを一体化連結すれば、連結されたスリーブは同一材料によって製造することができるため、結果的に部品点数を減らすことができる。
【００６６】
図１０は、第一のスリーブ１３１，第二のスリーブ１３２及び第三のスリーブ２０の他の変形例を示す図である。
【００６７】
図１０では、梁２０２から位置決め部２０３を除去している。このような構成とすることで、スリーブ重量を軽量化することができる。なお、鏡筒１４の位置決めについては、別の箇所で行う。
【００６８】
図１１は、第一のスリーブ１３１，第二のスリーブ１３２及び第三のスリーブ２０の他の変形例を示す図である。
【００６９】
図１１では、第二のスリーブ１３２を除去している。このように、本発明は、スリーブを２個に分割してもよい。この場合、第一のコイル１８１と第二のコイル１８２を直接接着することになる。なお、図１１では梁２０２を残しているが、これは第一のコイル１８１を巻回しやすいようにするためである。必要に応じて除去しても構わない。
【００７０】
さらに、第一のコイル１８１、第二のコイル１８２を自己融着型コイルでもよい。この自己融着型コイルは、すでに周知のコイルであるが、簡単に説明すると、被覆の外周面にポリウレタン等からなる自己融着層が形成された導線（コイル線）であり、この導線を所望形状に巻回後、当該導線を加熱することにより自己融着層を融着させ、隣接する導線同士を接着させて形成される。そして、この自己融着型コイルに、例えば、ドライヤー等の高温度の温風を巻回される自己融着型コイル線に向かって吹き付けて融着させている。すなわち、自己融着層によりコイル線同士が溶着しているので、ほどけるようなことはない
【００７１】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００７２】
本発明に係るレンズ駆動装置は、スリーブ重量を軽量化することが可能なものとして有用である。
【図面の簡単な説明】
【００７３】
【図１】本発明の実施の形態に係るレンズ駆動装置の外観構成を示す斜視図である。
【図２】レンズ駆動装置における磁気駆動機構の概要を示す図である。
【図３】レンズ駆動装置の側断面を示す断面斜視図である。
【図４】第一のスリーブ及び第二のスリーブ並びにコイル組の配置関係を示す外観図である。
【図５】第一のスリーブ及び第二のスリーブ並びにコイル組の断面図である。
【図６】第一のスリーブ，第二のスリーブ及び第三のスリーブに着目したときの外観図である。
【図７】第一のスリーブ，第二のスリーブ及び第三のスリーブに着目したときの外観図である。
【図８】第一のスリーブ，第二のスリーブ及び第三のスリーブの変形例を示す図である。
【図９】第一のスリーブ，第二のスリーブ及び第三のスリーブの他の変形例を示す図である。
【図１０】第一のスリーブ，第二のスリーブ及び第三のスリーブの他の変形例を示す図である。
【図１１】第一のスリーブ，第二のスリーブ及び第三のスリーブの他の変形例を示す図である。
【符号の説明】
【００７４】
１  レンズ駆動装置
１１  バックヨーク
１２  カバー
１２１  板部
１２１ａ  爪部
１３１  第一のスリーブ
１３２  第二のスリーブ
１４  鏡筒
１５  第一の板バネ
１６  ワイヤースプリング
１７  マグネット
１８  コイル組
１８１  第一のコイル
１８２  第二のコイル
１９  台座
２０  第三のスリーブ
２１  第二の板バネ
【図１】
2009047859.tif 000003
【図２】
2009047859.tif 000004
【図３】
2009047859.tif 000005
【図４】
2009047859.tif 000006
【図５】
2009047859.tif 000007
【図６】
2009047859.tif 000008
【図７】
2009047859.tif 000009
【図８】
2009047859.tif 000010
【図９】
2009047859.tif 000011
【図１０】
2009047859.tif 000012
【図１１】
2009047859.tif 000013